(57)【特許請求の範囲】
【請求項１】
支持構造に固定するための固定部と、前記固定部に突設され、互いに間隔をあけて配置された一対の支持アームと、シートロールの芯部分に通され、前記一対の支持アームの間に水平に支持されたシートロール保持棒と、前記一対の支持アームの間に取り付けられ、前記シートロールの外周面の一部を覆うようにかつ水平な支軸のまわりに回動可能に配置された制動板兼シート切取板とを備え、前記一対の支持アームにはそれぞれ、前記ロール保持棒の端部の下側周面を支持する垂直上向きに開口したシートロール保持棒受け部が設けられ、前記支軸は、前記支持アームの先端であって、前記支持アームに支持されたシートロールの中心の位置より高い位置でかつ前記シートロールの中心から前記シートロールの満巻時の半径より大きい距離離れた位置に配置され、前記制動板兼シート切取板は、前記支軸に対して垂直な平面で切り取られた断面において上に凸となるように湾曲し、前記支軸から前記シートロールの巻き取り方向にのびる後側部分および前記支軸から前記シートロールの引き出し方向にのびる前側部分からなり、前記前側部分および前記後側部分が、異なる曲率を有する円弧状に湾曲しているとともに、前記前側部分の曲率は前記後側部分の曲率より大きくなっており、さらに、前記後側部分は、前記支軸から前記前側部分よりも長い距離のびていて、前記後側部分の下面の一部が常に前記シートロールの外周面に接触するようになっており、前記前側部分の前端縁にはシートを切り取るための歯が取り付けられ、前記シートロールから引き出されたシート部分の後端縁が切り取りのために前記制動板兼シート切取板の前側部分の歯に押し当てられたとき、前記制動板兼シート切取板は、前記支軸に関して前記前側部分が持ち上げられると同時に、前記後側部分の下面が前記シートロールの外周面に押しつけられるように回動し、前記シートロールの回転を制動するようになっていることを特徴とするシートロールホルダー。
【請求項２】
前記固定部は独立した２つの板状体からなり、一方の板状体に前記一対の支持アームの一方が突設され、他方の板状体には前記一対の支持アームの他方が突設されていることを特徴とする請求項１に記載のシートロールホルダー。
【請求項３】
上端が開口した箱体からなり、内部にシートロールを収容するホルダー本体と、前記シートロールの芯部分に通され、前記ホルダー本体における一対の対向する側壁の間に水平に支持されたシートロール保持棒と、前記一対の対向する側壁のそれぞれの上端に突設された支柱部と、前記支柱部の間に取り付けられかつ水平な支軸のまわりに回動可能に配置された制動板兼シート切取板とを備え、前記一対の対向する側壁にはそれぞれ、前記シートロール保持棒の端部の下側周面を支持する垂直上向きに開口したシートロール保持棒受け部が設けられ、前記制動板兼シート切取板は、前記支軸に対して垂直な平面で切り取られた断面において上に凸となるように湾曲しており、前記支軸から前記シートロールの巻き取り方向にのびる後側部分および前記支軸から前記シートロールの引き出し方向にのびる前側部分からなり、前記前側部分および前記後側部分が、異なる曲率を有する円弧状に湾曲しているとともに、前記前側部分の曲率は前記後側部分の曲率より大きくなっており、さらに、前記後側部分は、前記支軸から前記前側部分よりも長い距離のびていて、前記後側部分の下面の一部が常に前記シートロールの外周面に接触するようになっており、前記前側部分の前端縁にはシートを切り取るための歯が取り付けられ、前記シートロールから引き出されたシート部分の後端縁が切り取りのために前記制動板兼シート切取板の前側部分の歯に押し当てられたとき、前記制動板兼シート切取板は、前記支軸に関して前記前側部分が持ち上げられると同時に、前記後側部分の下面が前記シートロールの外周面に押しつけられるように回動し、前記シートロールの回転を制動するようになっていることを特徴とするシートロールホルダー。
【請求項４】
前記制動板兼シート切取板は、前記支軸に対して垂直な平面で切り取られた断面において、前記後側部分の長さが、前記前側部分の長さの１．５〜２倍となるように形成されていることを特徴とする請求項１〜請求項３のいずれかに記載のシートロールホルダー。
【請求項５】
前記制動板兼シート切取板の前記前側部分の少なくとも一側部には、切り取り後に前記歯に残されたシートの引出端から前記ロールまでのびるシート部分を指で摘むための切欠が形成されていることを特徴とする請求項１〜請求項４のいずれかに記載のシートロールホルダー。
【発明の詳細な説明】
【０００１】
【発明の属する技術分野】
本発明は、ロール状に巻き取られたシート（以下、「シートロール」という。）を保持し、このシートロールから所要の長さのシートを引き出して切断するようにしたシートロールホルダーの改良に関するものである。
【０００２】
【従来の技術】
この種のシートロールとしては、トイレットペーパーロール、台所用キッチンペーパーロールおよびアルミホイルロール、並びに食料品ラップ用プラスチックフィルムロール等がある。
そして、例えば、トイレットペーパーロールのホルダーとして現在広く普及しているものは、壁面等に固定する固定部および固定部に突設された一対の支持アームからなるホルダー本体と、トイレットペーパーの芯部分に通されると共に一対の支持アームの間に支持された支持軸と、ホルダー本体の上部に揺動可能に取り付けられたペーパー切取板とから構成されている。そして、使用時には、一方の手でぺーパーの端を摘んで所要の長さ引き出し、他方の手でペーパー切取板を押さえてロールの回転を止めた後、ペーパー切取板の先端でペーパーを切り取るようになっており、必ず両手が必要であった。
【０００３】
このため、片手が不自由な人や、あるいは健常者であっても、手荷物がある場合や、衣服の一部を片手で保持しなければならない場合等、事情によって片手しか使えない場合には、非常に不便をきたしていた。
この不便を解消するため、これまでに、トイレットペーパーを片手で切り取り可能としたトイレットペーパーホルダーが多数提案されてきている。
【０００４】
例えば、特開２０００−２７９３４２号公報には、ベース部およびトイレットペーパーロールの芯部分に通されたロール保持軸を支持可能な一対のアーム部を有するホルダー本体と、トイレットペーパーロールの上部を覆うと共にベース部側の後端縁を中心に上下回動可能に軸支された紙切板とを備えたものからなり、紙切板の後端部に、ベース部とトイレットペーパーロールとの間をほぼ下方へのびるストッパーアーム部を設け、ストッパーアーム部にトイレットペーパーロールの回転を停止可能なストッパ部材を近接または離間可能に設けたトイレットペーパーホルダーが記載されている。そして、使用時、片方の手で、ペーパーの端部が下方へ所要量引き出され、紙切板先端に押しつけられる。このとき、引き出されたペーパーによって紙切板が持ち上げられ、それに伴ってストッパーアーム部が回動しロールに近接し、ストッパ部材がロールの回転を停止させる。こうして、片手でペーパーを切り取ることができる。
【０００５】
しかしながら、特開２０００−２７９３４２号公報に記載のトイレットペーパーホルダーは、現在普及しているものより複雑な構造を有しており、また、ストッパ部材は、ゴムやスポンジ等柔らかく摩擦係数の高い材料から形成されるので、使用頻度が高くなると、摩耗による交換を頻繁に行う必要がある。したがって、このトイレットペーパーホルダーは、コスト面およびメンテナンス面で、現在普及しているものより不利である。
【０００６】
また、登録実用新案第３０２５３１４号公報には、壁面等に固定するための固定部および固定部に突設された一対の支持アームからなるホルダー本体と、トイレットペーパーホルダーの芯部分に通されると共に一対の支持アームの間に支持されたホルダー保持軸と、ホルダー本体の上部に後端縁のまわりに揺動可能に取り付けられたカバー本体と、カバー本体の先端部に蝶番状に連結されたカバー先端部とからなり、カバー本体とカバー先端部の連結部にペーパーを通過させるためのスキ間凹部が形成され、カバー先端部の後端部にはストッパーが、前端部には上向きのノコギリ刃が設けられたトイレットペーパーホルダーが記載されている。そして、使用時には、スキ間凹部から引き出されたペーパー部分の後端縁がカバー先端部のノコギリ刃に下向きに押しつけられる。それに伴って、カバー先端部は、カバー本体との連結軸のまわりに回動し、後端部が持ち上げられ、ストッパーが、ロールからノコギリ刃までのびるペーパー部分をカバー本体の裏面に押しつけ、それによって、ペーパー部分が切り取られる。
【０００７】
しかしながら、登録実用新案第３０２５３１４号公報に記載のトイレットペーパーホルダーもまた、現在普及しているものより複雑な構造を有しており、また、ロール交換時に、ロールに通されたホルダー保持軸を一対の支持アームの間に嵌め込んだ後、ロールの引出端をスキ間凹部からカバー外側に出す操作が面倒である。したがって、このトイレットペーパーホルダーもまた、コスト面およびメンテナンス面で、現在普及しているものより不利である。
【０００８】
トイレットペーパーホルダーは、駅構内、病院、公共施設および公園等の便所等、不特定多数の人が使用する便所に設置されるものでもあるので、できるだけ簡単な構造を有し、故障が少なく、また操作し易く、メンテナンスが簡単に行えるものであることが望ましい。また、コスト面においても、現在普及しているものと同程度のコストでまたはそれより低いコストで提供され得ることが望ましい。
【０００９】
また、食料品ラップ用プラスチックフィルムロールのホルダーとして現在広く普及しているものは、片開き状に取り付けられた上蓋を備え、内部にプラスチックフィルムロールが収容された紙製の箱体からなるホルダー本体と、上蓋先端の辺縁に取り付けられたカッターとから構成されている。そして、使用時には、ホルダー本体を一方の手に持ち、ホルダー本体の上蓋を開けてホルダー本体内部に収容されたロールのフィルム引出端を他方の手で摘んで、フィルムを所要の長さ引き出し、ホルダー本体の上蓋を一方の手で閉じ、引き出したフィルム部分の後端を上蓋のカッターに押し当ててフィルム部分を切り取るようになっている。
このホルダーにおいては、ロールが回転自在に軸支されておらず、フィルムの引き出し時にロールを回転させることが容易ではない。特に、プラスチックフィルムロールの場合には、フィルムは互いに密着状態でロール状に巻き取られているので、ロールを回転させながらのフィルムの引き出しに手間がかかる。よって、片手操作で、所要量のフィルムを簡単に切り取ることはできなかった。
【００１０】
【発明が解決しようとする課題】
したがって、本発明の課題は、簡単な構造を有し、低コストで製造可能で、メンテナンスが容易な、片手によってワンタッチでシートを切り取ることができるシートロールホルダーを提供することにある。
【００１１】
【課題を解決するための手段】
上記課題を解決するため、第１の発明は、支持構造に固定するための固定部と、前記固定部に突設され、互いに間隔をあけて配置された一対の支持アームと、シートロールの芯部分に通され、前記一対の支持アームの間に水平に支持されたシートロール保持棒と、前記一対の支持アームの間に取り付けられ、前記シートロールの外周面の一部を覆うようにかつ水平な支軸のまわりに回動可能に配置された制動板兼シート切取板とを備え、前記一対の支持アームにはそれぞれ、前記ロール保持棒の端部の下側周面を支持する垂直上向きに開口したシートロール保持棒受け部が設けられ、前記支軸は、前記支持アームの先端であって、前記支持アームに支持されたシートロールの中心の位置より高い位置でかつ前記シートロールの中心から前記シートロールの満巻時の半径より大きい距離離れた位置に配置され、前記制動板兼シート切取板は、前記支軸に対して垂直な平面で切り取られた断面において上に凸となるように湾曲し、前記支軸から前記シートロールの巻き取り方向にのびる後側部分および前記支軸から前記シートロールの引き出し方向にのびる前側部分からなり、前記前側部分および前記後側部分が、異なる曲率を有する円弧状に湾曲しているとともに、前記前側部分の曲率は前記後側部分の曲率より大きくなっており、さらに、前記後側部分は、前記支軸から前記前側部分よりも長い距離のびていて、前記後側部分の下面の一部が常に前記シートロールの外周面に接触するようになっており、前記前側部分の前端縁にはシートを切り取るための歯が取り付けられ、前記シートロールから引き出されたシート部分の後端縁が切り取りのために前記制動板兼シート切取板の前側部分の歯に押し当てられたとき、前記制動板兼シート切取板は、前記支軸に関して前記前側部分が持ち上げられると同時に、前記後側部分の下面が前記シートロールの外周面に押しつけられるように回動し、前記シートロールの回転を制動するようになっていることを特徴とするシートロールホルダーを構成したものである。
【００１２】
第１の発明の構成において、前記固定部を独立した２つの板状体から構成し、一方の板状体に前記一対の支持アームの一方を突設し、他方の板状体には前記一対の支持アームの他方を突設するようにしてもよい。
【００１３】
また、上記課題を解決するため、第２の発明は、上端が開口した箱体からなり、内部にシートロールを収容するホルダー本体と、前記シートロールの芯部分に通され、前記ホルダー本体における一対の対向する側壁の間に水平に支持されたシートロール保持棒と、前記一対の対向する側壁のそれぞれの上端に突設された支柱部と、前記支柱部の間に取り付けられかつ水平な支軸のまわりに回動可能に配置された制動板兼シート切取板とを備え、前記一対の対向する側壁にはそれぞれ、前記シートロール保持棒の端部の下側周面を支持する垂直上向きに開口したシートロール保持棒受け部が設けられ、前記制動板兼シート切取板は、前記支軸に対して垂直な平面で切り取られた断面において上に凸となるように湾曲しており、前記支軸から前記シートロールの巻き取り方向にのびる後側部分および前記支軸から前記シートロールの引き出し方向にのびる前側部分からなり、前記前側部分および前記後側部分が、異なる曲率を有する円弧状に湾曲しているとともに、前記前側部分の曲率は前記後側部分の曲率より大きくなっており、さらに、前記後側部分は、前記支軸から前記前側部分よりも長い距離のびていて、前記後側部分の下面の一部が常に前記シートロールの外周面に接触するようになっており、前記前側部分の前端縁にはシートを切り取るための歯が取り付けられ、前記シートロールから引き出されたシート部分の後端縁が切り取りのために前記制動板兼シート切取板の前側部分の歯に押し当てられたとき、前記制動板兼シート切取板は、前記支軸に関して前記前側部分が持ち上げられると同時に、前記後側部分の下面が前記シートロールの外周面に押しつけられるように回動し、前記シートロールの回転を制動するようになっていることを特徴とするシートロールホルダーを構成したものである。
【００１４】
第１および第２の発明の構成において、好ましくは、前記制動板兼シート切取板の前記前側部分の少なくとも一側部には、切り取り後に前記歯に残されたシートの引出端から前記ロールまでのびるシート部分を指で摘むための切欠が形成されている。
【００１５】
【発明の実施の形態】
以下、添付図面を参照して本発明の好ましい実施例について説明する。図１および図２は、それぞれ、本発明の１実施例によるシートロールホルダーの斜視図および正面図である。図１および図２に示される実施例では、本発明によるシートロールホルダーは、トイレットペーパーホルダーとして構成されている。
【００１６】
図１および図２に示されるように、本発明のトイレットペーパーホルダーは、（図示されない）壁面等の支持構造に固定するための平板状の固定部１と、固定部１に突設され、互いに間隔をあけて配置された一対の板状の支持アーム２ａ、２ｂと、トイレットペーパーロール３の芯部分に通され、一対の支持アーム２ａ、２ｂの間に水平に支持されたロール保持棒４と、一対の支持アーム２ａ、２ｂの間に取り付けられ、トイレットペーパーロール３の外周面の一部を覆うようにかつ水平な支軸５のまわりに回動可能に配置された制動板兼ペーパー切取板６とを備えている。
【００１７】
一対の支持アーム２ａ、２ｂには、それぞれ、上端中間部に切欠が設けられており、これらの切欠は、ロール保持棒４の端部４ａ、４ｂの下側周面を支持する垂直上向きに開口したロール保持棒受け部７ａ、７ｂを形成している。
【００１８】
支軸５は、制動板兼ペーパー切取板６の両側に設けられた下向き突起部８ａ、８ｂの穴および関係する支持アーム２ａ、２ｂの穴を貫通して配置された連結ピンからなっている。支軸５は、支持アーム２ａ、２ｂの先端部であって、支持アーム２ａ、２ｂに支持されたロール３の中心の位置より高い位置でかつロール３の中心からロール３半径より大きい距離離れた位置に配置される。
【００１９】
制動板兼ペーパー切取板６は、支軸５に対して垂直な平面で切り取られた断面において上に凸となるように湾曲しており、支軸５からロール３の巻き取り方向にのびる後側部分６ｂおよび支軸５からロール３の引き出し方向にのびる前側部分６ａからなっている。さらに、制動板兼ペーパー切取板６の後側部分６ｂは、支軸５から前側部分６ａよりも長い距離のびていて、後側部分６ｂの下面の一部が常にロール３の外周面に接触するようになっている。この場合、制動板兼ペーパー切取板６は、支軸５に対して垂直な平面で切り取られた断面において、前側部分６ａおよび後側部分６ｂが、異なる曲率を有する円弧状に湾曲しているとともに、前側部分６ａの曲率が後側部分６ｂの曲率より大きくなっていること、そして、制動板兼ペーパー切取板６の後側部分６ｂは、前側部分６ａの長さの１．５〜２倍の長さを有していることが好ましい。それによって、制動板兼ペーパー切取板６の後側部分６ｂの下面の一部が、ペーパーの使用によってロール３の径が小さくなっても、常に確実にロール３の外周面に接触することが保証されるとともに、よりスムーズな、ペーパーの引き出しおよび切り取り操作が可能となる。
【００２０】
制動板兼ペーパー切取板６の前側部分６ａの前端縁には、トイレットペーパーを切り取るための歯９が取り付けられている。歯９は厚紙製であり、使用者の指等が万一触れても当該指等が傷つけられないようになっている。また、歯９には、ペーパーの切り取り後、ホルダー側に残されるロール３の引出端がそれに食い込んで係止されるようになっている。
制動板兼ペーパー切取板６の前側部分６ａの両側部には、切り取り後に歯９に残されたペーパーの引出端からロール３までのびるペーパー部分３ｂを指で摘むための切欠１０ａ、１０ｂが形成されている。
【００２１】
こうして、本発明のトイレットペーパーホルダーの使用時には、制動板兼ペーパー切取板６の切欠１０ａ、１０ｂの一方から、片方の手の指で、歯９に残されたペーパーの引出端からロール３までのびるペーパー部分３ｂが摘まれ、ホルダーから所要の長さ引き出される。このとき、制動板兼ペーパー切取板６の後側部分６ｂの下面の一部がロール３の外周面に接触しているので、ロール３がその慣性により過度に回転することが防止され、ペーパーは途中で弛むことなく円滑に引き出される。また、ペーパー引き出しの際に、ホルダーに指を触れずに、ペーパーの引出端を摘んでペーパーを引き出し、切り取ることができるので、非常に衛生的である。
【００２２】
そして、図３に示されるように、所要の長さ引き出されたペーパー部分３ａの後端縁３ｃが切り取りのために制動板兼ペーパー切取板６の歯に押し当てられたとき、制動板兼ペーパー切取板６は、支軸５に関して前側部分６ａが持ち上げられると同時に、後側部分６ｂの下面がロール３の外周面に押しつけられるように回動する。それによって、ロール３は回転を制動され、ペーパー部分３ａは容易に切り取られる。
【００２３】
図４は、図１のトイレットペーパーホルダーのロール装着時の状態を示した側面図である。図４に示されるように、ロールのホルダーへの装着時には、制動板兼ペーパー切取板６が、支軸５に関して後側部分６ｂを持ち上げる向きに回動せしめられる。それによって、支持アーム２ａ、２ｂの上方が大きく開口する。この状態で、ロールに通されたロール保持棒の両端を、一対の支持アーム２ａ、２ｂのロール保持棒受け部７ａ、７ｂに上から落とし込むだけで、ロールのホルダーへの装着を非常に簡単に行うことができる。
【００２４】
このように、本発明のトイレットペーパーホルダーは、構造が非常に簡単であり、故障が少なく、現在普及しているものと同程度またはそれより低いコストで製造することができる。しかも、本発明のトイレットペーパーホルダーによれば、片手によってワンタッチでシートを切り取ることができ、また、ペーパーロールの交換も非常に簡単に行え、メンテナンスが容易である。
【００２５】
図５は、図１のトイレットペーパーホルダーの変形例の斜視図である。この変形例は、図１のトイレットペーパーホルダーと、固定部の構造のみが相違している。したがって、図５中、図１と同じ構成要素には同一番号を付し、詳細な説明を省略する。図５の変形例では、固定部は独立した２つの板状体１１ａ、１１ｂから構成される。そして、一方の板状体１１ａに一方の支持アーム２ａが突設され、他方の板状体１１ｂには他方の支持アーム２ｂが突設される。
このように、固定部を独立した２つの板状体１１ａ、１１ｂから構成したことにより、トイレの壁面等に従来のトイレットペーパーホルダーが既に取り付けられている場合に、それを利用して本発明のトイレットペーパーホルダーを容易に後付けすることができ、壁面等に新たに穴を設けたりする必要がなくなる。この後付け作業は、次のようになされる。すなわち、既に取り付けられた従来のホルダーからロールおよびロール保持棒が取り外され、その（コ字状断面を有する）ホルダー本体の固定ネジが緩められる。そして、本発明のホルダーの板状固定部１１ａ、１１ｂが、壁面と従来のホルダーのホルダー本体との間に差し込まれた後、従来のホルダーのホルダー本体が再び壁面に固定ネジで固定される。このとき、本発明のホルダーは、その支持アームのペーパーロール保持棒受け部が、従来のホルダーの支持アーム上端より上方に位置するように取り付けられる。また、この場合、従来のホルダーのペーパー切取板はホルダー本体に取り付けられたままでもよいし、取り外されてもよい。
【００２６】
図６は、本発明の別の実施例によるシートロールホルダーの斜視図である。この実施例では、シートロールホルダーは、食料品ラップ用プラスチックフィルムロールホルダーとして構成されている。図５に示されるように、本発明のシートロールホルダーは、上端が開口した箱体からなり、内部にプラスチックフィルムロール２１を収容するホルダー本体２０と、プラスチックフィルムロール２１の芯部分に通され、ホルダー本体２０における一対の対向する側壁２０ａ、２０ｂの間に水平に支持されたロール保持棒２２と、一対の対向する側壁２０ａ、２０ｂのそれぞれの上端縁におけるロール２１の引き出し方向側の端に突設された支柱部２３ａ、２３ｂと、支柱部２３ａ、２３ｂの間に取り付けられ、ホルダー本体２０の上端開口を間隔をあけて覆うようにかつ水平な支軸２４のまわりに回動可能に配置された制動板兼シート切取板２５とを備えている。
【００２７】
ホルダー本体２０の一対の対向する側壁２０ａ、２０ｂにはそれぞれ、上端縁中間部に切欠が設けられ、ロール保持棒２２の関係する端部の下側周面を支持する垂直上向きに開口したロール保持棒受け部２６ａ、２６ｂを形成している。
制動板兼シート切取板２５は、支軸２４に対して垂直な平面で切り取られた断面において上に凸となるように湾曲しており、支軸２４からロール２１の巻き取り方向にのびる後側部分２５ｂおよび支軸２４からロール２１の引き出し方向にのびる前側部分２５ａからなっている。
さらに、制動板兼シート切取板２５の後側部分２５ｂは、支軸２４から前側部分２５ａよりも長い距離のびていて、後側部分２５ｂの下面の一部が常にロール２１の外周面に接触するようになっている。この場合、制動板兼シート切取板２５は、支軸２４に対して垂直な平面で切り取られた断面において、前側部分２５ａおよび後側部分２５ｂが、異なる曲率を有する円弧状に湾曲しているとともに、前側部分２５ａの曲率が後側部分２５ｂの曲率より大きくなっていること、そして、制動板兼ペーパー切取板２５の後側部分２５ｂは、前側部分２５ａの長さの１．５〜２倍の長さを有していることが好ましい。
【００２８】
支軸２４は、制動板兼シート切取板２５の両側に設けられた下向き突起部の穴および関係する支柱部２３ａ、２３ｂの穴を貫通して配置された連結ピンからなっている。
制動板兼シート切取板２５の前側部分２５ａの前端縁にはシートを切り取るための歯２７が取り付けられている。制動板兼シート切取板２５の前側部分２５ａの両側部には、切り取り後に歯２７に残されたシートの引出端からロール２１までのびるシート部分を指で摘むための切欠２８ａ、２８ｂが形成されている。
【００２９】
そして、ホルダーの使用時には、前述の実施例と同様、片方の手の指で、歯２７に残されたシートの引出端からロール２１までのびるシート部分が摘まれ、ホルダーから所要の長さ引き出される。そして、引き出されたシート部分の後端縁が切り取りのために制動板兼シート切取板２５の歯２７に押し当てられたとき、制動板兼シート切取板２５は、２４支軸に関して前側部分２５ａが持ち上げられると同時に、後側部分２５ｂの下面がロール２１の外周面に押しつけられるように回動し、ロール２１の回転が制動され、それによって、シート部分が容易に切り取られる。
この実施例の場合にも、図１の実施例の場合と同様の効果が得られる。
【００３０】
【発明の効果】
以上のように、本発明によれば、非常に簡単な構造を有し、低コストで製造することができ、メンテナンスが容易な、片手操作でワンタッチ式にシートを切り取ることができるシートロールホルダーを提供することができる。
【図面の簡単な説明】
【図１】本発明の１実施例によるシートロールホルダーの斜視図である。
【図２】図１のシートロールホルダーの正面図である。
【図３】図１のシートロールホルダーの使用状態を示す側面図である。
【図４】図１のシートロールホルダーのロール装着時の状態を示す側面図である。
【図５】図１のシートロールホルダーの変形例の斜視図である。
【図６】本発明の別の実施例によるシートロールホルダーの斜視図である。
【符号の説明】
１  固定部
２ａ、２ｂ  支持アーム
３  トイレットペーパーロール
３ａ、３ｂ  ペーパー部分
４  ロール保持棒
５  支軸
６  制動板兼ペーパー切取板
６ａ  前側部分
６ｂ  後側部分
７ａ、７ｂ  ロール保持棒受け部
８ａ、８ｂ  突起部
９  歯
１０ａ、１０ｂ  切欠
【図１】
0003653246.tif 000002
【図２】
0003653246.tif 000003
【図３】
0003653246.tif 000004
【図４】
0003653246.tif 000005
【図５】
0003653246.tif 000006
【図６】
0003653246.tif 000007